(57)【要約】【課題】所定束数の小束紙幣の準備作業を容易化することができる小束吟味台および大束結束機を提供する。【解決手段】小束紙幣Ｋがバラ紙幣Ｓの集積方向を横にした姿勢で一束ずつ載置される小束セット凹部１６が所定数並設されている。これにより、所定数の小束セット凹部１６に小束紙幣Ｋを一束ずつ載置させて、すべての小束セット凹部１６を小束紙幣Ｋで適正に埋めれば、所定数の小束紙幣Ｋを数えなくても準備できる。【選択図】図２
2018002296.tif 000002
【特許請求の範囲】
【請求項１】
小束紙幣がバラ紙幣の集積方向を横にした姿勢で一束ずつ載置される小束セット凹部が所定数並設されていることを特徴とする小束吟味台。
【請求項２】
前記小束セット凹部のそれぞれに対して、
載置された小束紙幣を検知する個別セット検知手段と、
前記個別セット検知手段の検知結果を報知する個別セット報知手段と、
が設けられていることを特徴とする請求項１記載の小束吟味台。
【請求項３】
前記所定数すべての小束セット凹部に小束紙幣が載置された状態にあることを検知する全数セット検知手段と、
前記全数セット検知手段の検知結果を報知する全数セット報知手段と、
が設けられていることを特徴とする請求項１または２記載の小束吟味台。
【請求項４】
前記小束セット凹部は、長手方向一端側が長手方向に沿って開口しており、長手方向長さが小束紙幣の長手方向長さよりも短いことを特徴とする請求項１乃至３のいずれか一項記載の小束吟味台。
【請求項５】
請求項１乃至４のいずれか一項記載の小束吟味台と、
前記所定数の小束紙幣がセットされる結束セット部と、
前記結束セット部にセットされた前記所定数の小束紙幣を結束テープで結束して大束とする大束結束機構と、
を備えることを特徴とする大束結束機。
【請求項６】
小束紙幣がバラ紙幣の集積方向を横にした姿勢で一束ずつ載置される小束セット凹部が所定数並設されている小束吟味台本体と、
前記所定数すべての小束セット凹部に小束紙幣が載置された状態にあることを検知する全数セット検知手段と、
前記所定数の小束紙幣がセットされる結束セット部と、
前記結束セット部にセットされた前記所定数の小束紙幣を結束テープで結束して大束とする大束結束機構と、
前記全数セット検知手段の検知結果に基づいて、前記大束結束機構による結束動作の実行を制御する制御手段と、
を備えることを特徴とする大束結束機。
【発明の詳細な説明】
【技術分野】
【０００１】
本発明は、小束吟味台および大束結束機に関する。
【背景技術】
【０００２】
例えば、紙幣の管理および取り扱い容易化のために、バラ紙幣を所定の単位枚数（１００枚）だけ集積させて、バラ紙幣の短手方向に沿うように結束テープを巻き回すことで結束して小束紙幣としたり、小束紙幣を所定の単位束数（１０束）だけ集積させた小束群を結束テープを巻き回すことで結束して大束としたりすることが行われている。そのうち、小束群を結束して大束とする大束結束機には、小束群に対して、小束紙幣の長手方向に沿う方向と小束紙幣の短手方向に沿う方向との両方に結束テープを巻き回すものがあるが、途中で必要になる小束群の姿勢変更を自動的に行い、人手を介することなく全自動で結束を行うもの（例えば、特許文献１参照）や、姿勢変更を人手を介して行うことで半自動で結束を行うものがある。また、小束数量判定機能を搭載した大束結束機もある（例えば、特許文献２参照）。
【先行技術文献】
【特許文献】
【０００３】
【特許文献１】特許第５２１０７４２号公報
【特許文献２】特許第３０８３９４５号公報
【発明の概要】
【発明が解決しようとする課題】
【０００４】
大束結束機において、小束群を構成する小束紙幣が所定の単位束数（１０束）あることの確認は、基本的に操作者による目視確認が頼りであり、操作者が小束紙幣を誤って計数した状態で、小束群を投入し、結束動作を開始させてしまっても、誤った束数の小束群のまま大束が作成されてしまうことになる。また、小束数量判定機能を搭載した大束結束機においては、小束紙幣が所定の単位束数以外のときは機器がエラーになり停止するものの、投入した小束紙幣を大束結束機から取り出して数量を目視確認し、その後に再投入しなければならないため、手間がかかる。よって、小束紙幣を正確に単位束数分だけ大束結束機に投入する作業が重要である。しかしながら、小束紙幣を無造作に取り出して単位束数丁度の小束群とすることは困難であるため、取り出した後に数量確認が必要となり、面倒である。
【０００５】
本発明は、このような事情を鑑みてなされたものであり、所定束数の小束紙幣の準備作業を容易化することができる小束吟味台および大束結束機を提供することにある。
【課題を解決するための手段】
【０００６】
上記目的を達成するために、本発明に係る第１の態様は、小束紙幣がバラ紙幣の集積方向を横にした姿勢で一束ずつ載置される小束セット凹部が所定数並設されていることを特徴とする。
【０００７】
上記第１の態様によれば、所定数の小束セット凹部に小束紙幣を一束ずつ載置させて、すべての小束セット凹部を小束紙幣で適正に埋めれば、所定数の小束紙幣を数えなくても準備できる。つまり、小束紙幣が所定数よりも多い場合、すべての小束セット凹部を小束紙幣で埋めても、小束紙幣が余ることになって、余りの小束紙幣が一目瞭然となり、小束紙幣が所定数よりも少ない場合、すべての小束紙幣を小束セット凹部に載置させても、空の小束セット凹部が生じて小束紙幣の不足が一目瞭然となる。よって、使用者は、すべての小束セット凹部を小束紙幣で埋めるという容易な作業で、所定束数の小束紙幣を準備できることになる。
【０００８】
本発明に係る第２の態様は、上記第１の態様において、前記小束セット凹部のそれぞれに対して、載置された小束紙幣を検知する個別セット検知手段と、前記個別セット検知手段の検知結果を報知する個別セット報知手段と、が設けられていることを特徴とする。
【０００９】
上記第２の態様によれば、小束セット凹部に小束紙幣が載置されると、この小束セット凹部に対して設けられた個別セット検知手段がこの小束紙幣を検知することになり、これにより、この小束セット凹部に対して設けられた個別セット報知手段がこの小束セット凹部に小束紙幣が載置された状態にあることを報知する。よって、各小束セット凹部の小束紙幣の載置状況が、より一層明確となる。
【００１０】
本発明に係る第３の態様は、上記第１または第２の態様において、前記所定数すべての小束セット凹部に小束紙幣が載置された状態にあることを検知する全数セット検知手段と、前記全数セット検知手段の検知結果を報知する全数セット報知手段と、が設けられていることを特徴とする。
【００１１】
上記第３の態様によれば、所定数すべての小束セット凹部に小束紙幣が載置されると、全数セット検知手段が所定数すべての小束セット凹部に小束紙幣が載置された状態にあることを検知することになり、これにより、全数セット報知手段が所定数すべての小束セット凹部に小束紙幣が載置された状態にあることを報知する。よって、すべての小束セット凹部に小束紙幣が載置されているか否かが、より一層明確となる。
【００１２】
本発明に係る第４の態様は、上記第１乃至第３のいずれか一態様において、前記小束セット凹部は、長手方向一端側が長手方向に沿って開口しており、長手方向長さが小束紙幣の長手方向長さよりも短いことを特徴とする。
【００１３】
上記第４の態様によれば、長手方向長さが小束紙幣の長手方向長さよりも短い小束セット凹部に小束紙幣が載置されると、小束紙幣は、小束セット凹部の長手方向一端側の開口から外に一部が出ることになる。よって、例えば、流通券の小束紙幣であって結束テープによる結束側とは反対側が集積方向に広がっているものであっても、結束されて集積方向の広がりが抑制されている側を小束セット凹部に載置させ、集積方向に広がっている側を小束セット凹部の外側に配置することで小束セット凹部への載置が容易となる。
【００１４】
本発明に係る第５の態様は、上記第１乃至第４のいずれか一態様と、前記所定数の小束紙幣がセットされる結束セット部と、前記結束セット部にセットされた前記所定数の小束紙幣を結束テープで結束して大束とする大束結束機構と、を備えることを特徴とする。
【００１５】
上記第５の態様によれば、所定数すべての小束セット凹部に小束紙幣を一束ずつ載置させて、所定数すべての小束セット凹部を小束紙幣で適正に埋めれば、所定数の小束紙幣を数えなくても準備できる。そして、このように準備された所定数の小束紙幣が結束セット部にセットされると、所定数の小束紙幣を大束結束機構が結束テープで結束して大束とする。よって、所定束数の小束紙幣を容易に準備して、結束することができる。
【００１６】
本発明に係る第６の態様は、小束紙幣がバラ紙幣の集積方向を横にした姿勢で一束ずつ載置される小束セット凹部が所定数並設されている小束吟味台本体と、前記所定数すべての小束セット凹部に小束紙幣が載置された状態にあることを検知する全数セット検知手段と、前記所定数の小束紙幣がセットされる結束セット部と、前記結束セット部にセットされた前記所定数の小束紙幣を結束テープで結束して大束とする大束結束機構と、前記全数セット検知手段の検知結果に基づいて、前記大束結束機構による結束動作の実行を制御する制御手段と、を備えることを特徴とする。
【００１７】
上記第６の態様によれば、小束吟味台本体の所定数すべての小束セット凹部に小束紙幣を一束ずつ載置させて、所定数すべての小束セット凹部を小束紙幣で適正に埋めれば、所定数の小束紙幣を数えなくても準備できる。そして、小束吟味台本体の所定数すべての小束セット凹部に小束紙幣が載置されると、これを全数セット検知手段が検知することになるが、例えば、全数セット検知手段が、所定数すべての小束セット凹部に小束紙幣が載置された状態にあることを検知しない場合、制御手段が、大束結束機構による結束動作を規制することが可能となる。よって、誤った束数の小束紙幣が結束されて大束となることを抑制できる。
【発明の効果】
【００１８】
本発明によれば、所定束数の小束紙幣の準備作業を容易化することができる小束吟味台および大束結束機を提供することができる。
【図面の簡単な説明】
【００１９】
【図１】本発明に係る第１実施形態の小束吟味台および大束結束機を示す斜視図である。
【図２】本発明に係る第１実施形態の小束吟味台を示す斜視図である。
【図３】本発明に係る第１実施形態の小束吟味台を示す平面図である。
【図４】本発明に係る第１実施形態の小束吟味台を示す側断面図である。
【図５】本発明に係る第１実施形態の小束吟味台を示す部分正断面図である。
【図６】本発明に係る第１実施形態の小束吟味台に小束紙幣をセットした状態を示す斜視図である。
【図７】本発明に係る第１実施形態の小束吟味台に誤って小束紙幣を配置した状態を示す部分正断面図である。
【図８】本発明に係る第１実施形態の小束吟味台の変形例を示す側断面図である。
【図９】本発明に係る第１実施形態の小束吟味台の変形例に誤って小束紙幣を配置した状態を示す部分正断面図である。
【図１０】本発明に係る第１実施形態の小束吟味台の変形例を示す側断面図である。
【図１１】本発明に係る第１実施形態の小束吟味台の変形例を示す平面図である。
【図１２】本発明に係る第１実施形態の大束結束機を示す要部の断面図である。
【図１３】本発明に係る第１実施形態の大束結束機を示す要部の断面図である。
【図１４】本発明に係る第１実施形態の大束結束機を示す要部の断面図である。
【図１５】本発明に係る第１実施形態の大束結束機を示す要部の断面図である。
【図１６】本発明に係る第１実施形態の大束結束機を示す要部の断面図である。
【図１７】本発明に係る第１実施形態の大束結束機で結束された大束を示す斜視図である。
【図１８】本発明に係る第２実施形態の小束吟味台を示す斜視図である。
【図１９】本発明に係る第２実施形態の小束吟味台を示す側断面図である。
【図２０】本発明に係る第２実施形態の小束吟味台を示す部分平面図である。
【図２１】本発明に係る第２実施形態の小束吟味台の変形例を示す斜視図である。
【発明を実施するための形態】
【００２０】
「第１実施形態」
本発明に係る第１実施形態を図１〜図１７を参照して以下に説明する。以下の説明においては、使用者側を前、使用者とは反対側を後、使用者から見た左右を左右として説明する。
【００２１】
図１に示すように、大束結束機１は、大束結束機本体２と、大束結束機本体２の上面３上に取り付けられた小束吟味台５とからなっている。大束結束機本体２は、その機体が略直方体形状をなしており、上面３のやや前面４側に矩形状の開口部６が形成されている。上面３の開口部６の右側には、小束吟味台５が設けられており、小束吟味台５の前側に、使用者に向けて視覚表示を行う表示部７および使用者による操作入力を受け付ける操作部８が設けられている。
【００２２】
小束吟味台５は、図２に示す小束紙幣Ｋを、一つの大束を構成する所定の単位束数である１０束だけ準備する作業を正確かつ容易にするために使用されるものである。
【００２３】
小束紙幣Ｋは、単一金種のバラ紙幣Ｓを所定の単位枚数である１００枚だけ集積させ、このように集積させたバラ紙幣Ｓに、バラ紙幣Ｓの短手方向に沿うように結束テープを巻き回した後、結束テープを切断しつつ接着して小帯ｔとすることで、単位枚数のバラ紙幣Ｓを束として一纏めにしたものである。小帯ｔは、バラ紙幣Ｓの長手方向の中央よりも一側にずれて配置されている。ここで、金種によって小束紙幣Ｋの長手方向の長さは異なるが、小帯ｔは、金種によらずバラ紙幣Ｓの長手方向の小帯ｔに近い側の端部から等距離の位置に配置されている。
【００２４】
小束吟味台５は、矩形厚板状の小束吟味台本体１５を有している。小束吟味台本体１５には、その上面１２から下方に凹む同形状の小束セット凹部１６が、小束紙幣Ｋの単位束数と同じ所定数の１０カ所設けられている。小束吟味台本体１５の上面１２は、小束吟味台５の上面１２となっており、小束吟味台本体１５の前面１３は、小束吟味台５の前面１３となっている。小束吟味台５は、水平面に設置された状態で小束吟味台本体１５の上面１２が水平に配置される。図３に示すように、すべての小束セット凹部１６は、小束吟味台本体１５に、前後方向の位置を合わせて、左右方向に等間隔で並設されている。言い換えれば、小束吟味台５は、小束セット凹部１６を１０カ所だけ左右に連ねた構造となっている。
【００２５】
図４に示すように、小束セット凹部１６は、小束吟味台本体１５の上面１２から一定深さで凹んでおり、前後方向に長く延びる形状をなしている。小束セット凹部１６の底部１８の底面１９は、上面１２と平行であり、よって、小束吟味台５が水平面に設置された状態では水平に配置される。小束セット凹部１６の前壁部２０の前壁面２１と後壁部２２の後壁面２３とは上面１２および底面１９に対し垂直であり、互いに平行となっている。
【００２６】
図５に示すように、小束セット凹部１６の左右両側の側壁部２５は、それぞれが、下端部から上端部近傍まで延在する側壁面２６と、上端部にあって側壁面２６から上方に離れるほど左右方向にも離れるように傾斜する傾斜面２７とを有している。両側の側壁面２６は、上面１２、底面１９に対し垂直であり、互いに平行となっている。両側の側壁面２６は、図３に示すように、前壁面２１および後壁面２３に対しても垂直となっている。
【００２７】
小束吟味台本体１５の上面１２には、左端の小束セット凹部１６よりも左側に、小束セット凹部１６よりも広い幅の幅広部２８が設けられており、右端の小束セット凹部１６よりも右側にも、小束セット凹部１６よりも広い幅の幅広部２８が設けられている。図５に示すように、幅広部２８は、小束セット凹部１６の底部１８の底面１９よりも一段高い位置に配置されている。
【００２８】
図２，図３に示すように、小束吟味台５は、小束吟味台本体１５のすべての小束セット凹部１６の前側に一つずつ配置される、小束セット凹部１６と同数のＬＥＤランプ３１（個別セット報知手段，全数セット報知手段）を有している。これらのＬＥＤランプ３１は、左端の小束セット凹部１６と左右方向の位置が合うものから順に１〜１０のテキストが表記されている。つまり、最も左側の小束セット凹部１６と左右方向の位置を合わせた前側に、この小束セット凹部１６に対する「１」のテキストが設けられたＬＥＤランプ３１が設けられ、その右隣りの小束セット凹部１６と左右方向の位置を合わせた前側に、この小束セット凹部１６に対する「２」のテキストが設けられたＬＥＤランプ３１が設けられ、同様にして、最も右側の小束セット凹部１６の前側のこの小束セット凹部１６に対する「１０」のテキストが設けられたＬＥＤランプ３１まで、１０個のＬＥＤランプ３１が設けられている。
【００２９】
小束セット凹部１６には、図２に示すように小束紙幣Ｋがバラ紙幣Ｓの集積方向を横にした姿勢で一束ずつ挿入されて、図４に示すように底部１８の底面１９に載置される。つまり、一カ所の小束セット凹部１６に一束のみ小束紙幣Ｋが載置される。これにより、小束吟味台本体１５には、小束紙幣Ｋがバラ紙幣Ｓの集積方向を横にした姿勢で一束ずつ載置される小束セット凹部１６が所定数である１０カ所並設されている。小束紙幣Ｋは、その長手方向を小束セット凹部１６の長手方向に合わせ、短手方向を上面１２および底面１９に垂直な方向に合わせ、厚み方向を小束セット凹部１６の幅方向に合わせて、小束セット凹部１６に挿入されて載置される。
【００３０】
図５に示すように、小束セット凹部１６の左右両側の上端部には、上側ほど互いに間隔が広くなる傾斜面２７が形成されているため、小束セット凹部１６への挿入時に、小束紙幣Ｋが両側の傾斜面２７に案内されて円滑に小束セット凹部１６内に入り込み、両側の側壁面２６で案内されて底部１８の底面１９に載置される。小束紙幣Ｋは、図４に示すように前壁面２１に突き当たるように小束セット凹部１６に載置されることになり、両側の側壁面２６で倒れが規制されて、底部１８の底面１９上に立った状態となる。その際に、小束紙幣Ｋは、上面１２よりも上方に突き出た状態となる。
【００３１】
小束セット凹部１６は、その一つに対し、一束だけ小束紙幣Ｋが載置可能となるようになっており、全金種の小束紙幣Ｋが載置可能となっている。つまり、小束セット凹部１６は、その幅が、小束紙幣Ｋの一束の厚さよりも広く、二束の厚さよりも狭くなっており、その長さが、最も長手方向長さが長い金種の小束紙幣Ｋの長手方向長さよりも長く、その深さが、小束紙幣Ｋの短手方向長さよりも浅くなっている。これにより、小束セット凹部１６には、全金種の小束紙幣Ｋが一束だけ載置可能となっている。具体的に、小束セット凹部１６は、長手方向長さが、最も長手方向長さが長い一万円券の長手方向長さの１６０ｍｍよりも長く、例えば１７０ｍｍに設定されている。また、小束セット凹部１６は、幅が、新券の小束紙幣Ｋの厚さである約９ｍｍよりも広く、約９ｍｍの２倍より狭い幅であり、例えば１２〜１６ｍｍに設定されている。小束セット凹部１６の深さは、小束紙幣Ｋが倒れずセットしやすい高さであり、例えば１０〜２０ｍｍに設定されているが、これより低くても構わないものとする。
【００３２】
図３に示すように、小束吟味台５は、小束吟味台本体１５のすべての小束セット凹部１６のそれぞれの底部１８に設けられ、底面１９に載置された小束紙幣Ｋを検知するセット検知センサ３５（個別セット検知手段，全数セット検知手段）を有している。小束セット凹部１６と同数の１０個設けられるセット検知センサ３５は、いずれも小束セット凹部１６の底部１８の前壁面２１から等距離の位置に設けられている。ここで、小束セット凹部１６には、小束紙幣Ｋのセット方向が、小帯ｔが使用者から見て手前つまり前面１３側となり、しかも小束紙幣Ｋが前壁面２１に当接するようにセットすることがルール化されている。そして、セット検知センサ３５は、このルールに則って載置されることで図４に示すように前壁面２１から一定位置に配置される小帯ｔと重なる位置に設けられて小帯ｔの有無から小束紙幣Ｋの有無を検知する。セット検知センサ３５としては、発光しその反射の有無で小帯ｔの有無を検知する反射型の光センサや、小束吟味台５の設置場所における外光（照明光）の有無（受光状態または遮光状態）あるいは受光量の大小を検知する受光型の光センサや、小束紙幣Ｋの重さが小帯ｔを介して伝わってオンされるスイッチ等が採用されている。
【００３３】
図２，図３に示すように小束セット凹部１６のそれぞれに対して設けられたＬＥＤランプ３１は、図３に示すように小束セット凹部１６のそれぞれに対して設けられたセット検知センサ３５と連動している。すべての小束セット凹部１６のそれぞれに対して設けられたＬＥＤランプ３１およびセット検知センサ３５は、セット検知センサ３５が小束紙幣Ｋを検知した状態では、このセット検知センサ３５と同じ小束セット凹部１６に対して設けられたＬＥＤランプ３１が点灯状態となってこの小束セット凹部１６に小束紙幣Ｋが載置された状態にあることを報知する一方、セット検知センサ３５が小束紙幣Ｋを検知しない状態では、このセット検知センサ３５と同じ小束セット凹部１６に対して設けられたＬＥＤランプ３１は消灯状態となってこの小束セット凹部１６に小束紙幣Ｋが載置されていないことを報知する。よって、すべての小束セット凹部１６のそれぞれに対して、載置された小束紙幣Ｋを検知するセット検知センサ３５と、セット検知センサ３５で小束紙幣Ｋを検知すると報知を行うＬＥＤランプ３１と、が設けられている。
【００３４】
具体的に、最も左側の小束セット凹部１６に小束紙幣Ｋが載置された状態にあることを、この小束セット凹部１６の底部１８に設けられたセット検知センサ３５が検知すると、この小束セット凹部１６に対して設けられた最も左側の「１」の表記のＬＥＤランプ３１が点灯する。左から２番目の小束セット凹部１６に小束紙幣Ｋが載置された状態にあることを、この小束セット凹部１６の底部１８に設けられたセット検知センサ３５が検知すると、この小束セット凹部１６に対して設けられた左から２番目の「２」の表記のＬＥＤランプ３１が点灯する。同様にして、左から３番目の小束セット凹部１６に小束紙幣Ｋが載置されると「３」の表記のＬＥＤランプ３１が点灯し、左から４番目の小束セット凹部１６に小束紙幣Ｋが載置されると「４」の表記のＬＥＤランプ３１が点灯し、左から５番目の小束セット凹部１６に小束紙幣Ｋが載置されると「５」の表記のＬＥＤランプ３１が点灯し、左から６番目の小束セット凹部１６に小束紙幣Ｋが載置されると「６」の表記のＬＥＤランプ３１が点灯し、左から７番目の小束セット凹部１６に小束紙幣Ｋが載置されると「７」の表記のＬＥＤランプ３１が点灯し、左から８番目の小束セット凹部１６に小束紙幣Ｋが載置されると「８」の表記のＬＥＤランプ３１が点灯し、左から９番目の小束セット凹部１６に小束紙幣Ｋが載置されると「９」の表記のＬＥＤランプ３１が点灯し、左から１０番目つまり最も右側の小束セット凹部１６に小束紙幣Ｋが載置されると「１０」の表記のＬＥＤランプ３１が点灯する。
【００３５】
小束吟味台５には、上面１２の前面１３側に音声を発生させる音声発生部３８（全数セット報知手段）が設けられている。音声発生部３８は、すべてのセット検知センサ３５が同時に小束紙幣Ｋを検知した状態となると、例えば音声で報知を行う一方、いずれか一つでもセット検知センサ３５が小束紙幣Ｋを検知しない状態では、音声で報知を行うことはない。つまり、すべてのセット検知センサ３５が同時に小束紙幣Ｋを検知することは、すべての小束セット凹部１６に小束紙幣Ｋが載置された状態にあることの検知であり、これを検知すると、音声発生部３８は、使用者にすべての小束セット凹部１６に小束紙幣Ｋが載置された状態にあること、つまり１０束の小束紙幣Ｋのセットが完了したことを知らせるための音声を発生させる。
【００３６】
また、すべてのセット検知センサ３５が同時に小束紙幣Ｋを検知すると、「１」〜「１０」の表記のＬＥＤランプ３１は、すべて点灯しており、このようにすべてのＬＥＤランプ３１が点灯することで、使用者にすべての小束セット凹部１６に小束紙幣Ｋが載置された状態にあること、つまり１０束の小束紙幣Ｋの小束セット凹部１６へのセットが完了したことを視覚的に報知する。
【００３７】
よって、小束吟味台５は、単位束数と同じ所定数のすべての小束セット凹部１６に小束紙幣Ｋが載置された状態にあることを検知するセット検知センサ３５と、単位束数と同じ所定数のすべての小束セット凹部１６に小束紙幣Ｋが載置された状態にあることをすべてのセット検知センサ３５が検知すると報知を行うＬＥＤランプ３１および音声発生部３８とを有している。よって、使用者は、１０束の小束紙幣Ｋの小束セット凹部１６へのセット完了が目と耳で直感的に確認できる。
【００３８】
なお、すべてのセット検知センサ３５が同時に小束紙幣Ｋを検知したときにのみ、小束紙幣Ｋのセット完了を音声報知するだけに限るものではなく、すべての束数、例えば１０束に対して、８束または９束のように、不足となる束数が限られた場合にのみ、音声発生部３８によって、「１束または２束少ないようです」というように、注意を促す音声報知を行わせることもできる。
【００３９】
小束吟味台５は、図１に示す大束結束機１と通信可能に接続されており、いずれかのセット検知センサ３５が小束紙幣Ｋを検知しない状態から、すべてのセット検知センサ３５が同時に小束紙幣Ｋを検知する状態となると、その旨の全検知信号を大束結束機１に送信する。小束吟味台５は、すべてのセット検知センサ３５が同時に小束紙幣Ｋを検知した状態から、すべてのセット検知センサ３５が同時に小束紙幣Ｋを検知しない状態となると、その旨の検知無信号を大束結束機１に送信する。
【００４０】
以上に述べた小束吟味台５によれば、図６に示すように、１０カ所の小束セット凹部１６に小束紙幣Ｋを一束ずつ載置させて、すべての小束セット凹部１６を小束紙幣Ｋで適正に埋めれば、１０束の小束紙幣Ｋを数えなくても準備できる。つまり、使用者がおおよそ１０束の小束紙幣Ｋを準備して、小束セット凹部１６に一束ずつセットすると、小束紙幣Ｋが１０束よりも多い場合、すべての小束セット凹部１６を小束紙幣Ｋで埋めても、小束紙幣Ｋが余ることになって、余りの小束紙幣Ｋが一目瞭然となり、すぐさま気付くことになる。その際に、小束セット凹部１６に載置されない小束紙幣Ｋは、例えば図７に示すように上面１２の幅広部２８に当接し、小束セット凹部１６に載置された小束紙幣Ｋよりも高さが一段高くなり、小束セット凹部１６に載置されていないことが一目瞭然となる。また、小束紙幣Ｋが１０束よりも少ない場合、すべての小束紙幣Ｋを小束セット凹部１６に載置させても、空の小束セット凹部１６が生じて小束紙幣Ｋの不足が一目瞭然となり、すぐさま気付くことになる。よって、使用者は、小束吟味台５に対し、小束セット凹部１６以外に小束紙幣Ｋを載置させることなく、すべての小束セット凹部１６を小束紙幣Ｋで埋めるという容易な作業で、１０束の小束紙幣Ｋを数えなくても準備できることになる。
【００４１】
また、１０カ所の小束セット凹部１６には、それぞれに対し設けられたＬＥＤランプ３１に「１」〜「１０」の数字が表示されているため、小束紙幣Ｋのセット数量が目視で直感的に判断できる。
【００４２】
また、小束セット凹部１６に小束紙幣Ｋが載置されると、この小束セット凹部１６に対して設けられたセット検知センサ３５がこの小束紙幣Ｋを検知することになり、これにより、この小束セット凹部１６に対して設けられたＬＥＤランプ３１が点灯してこの小束セット凹部１６に小束紙幣Ｋが載置された状態にあることを報知する。これにより、各小束セット凹部１６の小束紙幣Ｋの載置状況が、より一層明確となる。
【００４３】
また、１０カ所すべての小束セット凹部１６に小束紙幣Ｋが載置されると、１０カ所のセット検知センサ３５が１０カ所すべての小束セット凹部１６に小束紙幣Ｋが載置された状態にあることを検知することになり、これにより、１０カ所すべてのＬＥＤランプ３１が点灯すると共に音声発生部３８が音声を発生させて、１０カ所すべての小束セット凹部１６に小束紙幣Ｋが載置された状態にあることを報知する。これにより、１０カ所すべての小束セット凹部１６に小束紙幣Ｋが載置されているか否かが、より一層明確となる。
【００４４】
ここで、第１実施形態の小束吟味台５において、図８に示す変形例のように、セット検知センサ３５を、小束セット凹部１６の前壁部２０に設けても良い。セット検知センサ３５は、反射型の光センサ、小束セット凹部１６の前壁部２０に向けて小束紙幣Ｋを押し付けてセットしたときに、外光（照明光）が遮断ないしは受光量が小さくなることで、小束紙幣Ｋのセットを検知する光センサ、または、押し付けたときにわずかに移動する作動片の動きを検知することで、小束紙幣Ｋのセットを検知するスイッチであっても良い。
【００４５】
また、図９に示すように、上面１２の幅広部２８を小束セット凹部１６から離れるほど低くなるように傾斜させても良い。この場合、幅広部２８に載置された小束紙幣Ｋを倒したり、小束吟味台５から脱落させたりすることができ、小束セット凹部１６に載置されていないことを、より視認し易くなる。
【００４６】
また、図１０に示すように、小束セット凹部１６の底部１８の底面１９を、前面１３側ほど高さが低くなるように傾斜させても良い。これにより、小束セット凹部１６に載置された小束紙幣Ｋを、底面１９の傾斜によって前壁面２１に突き当てることが可能となる。このようにすると、特に、小束セット凹部１６の前壁部２０にセット検知センサ３５を設けた場合に小束紙幣Ｋの検知精度を高めることができる。
【００４７】
また、図１１に示すように、小束吟味台５のセット検知センサ３５にかえて、すべての小束セット凹部１６のそれぞれの底部１８の前壁部２０側および後壁部２２側に、小束紙幣Ｋの前端部の前後方向位置および後端部の前後方向位置を検出可能なエリアセンサ５１を設けても良い。これにより、すべての小束セット凹部１６において、セットされた小束紙幣Ｋの長さを検出することができる。そして、すべての小束セット凹部１６の中に、他と長さが異なる小束紙幣Ｋを検出した場合つまり異金種の小束紙幣Ｋの混入を検出した場合、すべてのＬＥＤランプ３１を点滅させたり、異金種の小束紙幣Ｋと検出された小束セット凹部１６に対応したＬＥＤランプ３１のみを点滅させたり、音声発生部３８でアラーム音を発生させたりして報知を行う。この場合、前壁部２０側のエリアセンサ５１は、必ずしもエリアセンサである必要はなく、小束紙幣Ｋが前壁面２１に当接していることを検知するスイッチであっても良い。
【００４８】
図１に示す大束結束機１は、大束結束機本体２と、上記した小束吟味台５とを有しており、大束結束機本体２には、小束吟味台５の左側に、小束吟味台５を用いて準備された１０束の小束紙幣Ｋが投入される開口部６が設けられている。
【００４９】
図１２，図１３に示すように、大束結束機本体２には開口部６を開閉可能なシャッタ１０１が設けられている。また、大束結束機本体２には、開口部６の周縁部と水平方向の位置を合わせて平面視矩形状の周囲壁部１０２が鉛直に立設されており、この周囲壁部１０２の内側に昇降可能なエレベータ１０３が周囲壁部１０２を閉塞するように水平に配置されている。図１３に示すように、シャッタ１０１が開いた状態で、これら開口部６、周囲壁部１０２およびエレベータ１０３によって、上面３に矩形状の開口部６を有して下方に凹むとともに底部が昇降可能なエレベータ１０３からなる結束セット部１０４が構成されている。結束セット部１０４には、結束セット部１０４に小束紙幣Ｋ等があるか否かを検知する有無検知センサ１０５が設けられている。
【００５０】
周囲壁部１０２は上部の位置固定の固定壁部１１１と、図１３および図１４に示すように昇降する下部の可動壁部１１２とからなっている。可動壁部１１２が図１３に示すように上端位置まで上昇して固定壁部１１１に最も近づいた状態で、この可動壁部１１２の上部の周囲を囲むように、結束部１１５が設けられている。エレベータ１０３の下側には、図１５に示すようにエレベータ１０３から姿勢変更部材１１７を上方に突出させ、またエレベータ１０３から姿勢変更部材１１７を下方に退避させる姿勢変更機構１１６が設けられている。大束結束機本体２には、これを制御する図１に示す制御部１２０（制御手段）が設けられている。
【００５１】
大束結束機本体２は、待機状態にあるとき、図１２に示すように、シャッタ１０１を閉じており、エレベータ１０３を上端位置に位置させている。この待機状態にあるとき、いずれかのセット検知センサ３５が小束紙幣Ｋを検知しない状態から、すべてのセット検知センサ３５が同時に小束紙幣Ｋを検知した状態となった旨の全検知信号を小束吟味台５から受信すると、制御部１２０はシャッタ１０１を開く。言い換えれば、制御部１２０は、小束吟味台５のすべてのセット検知センサ３５が１０カ所すべての小束セット凹部１６に小束紙幣Ｋが載置された状態にあることを検知するとシャッタ１０１を開く。
【００５２】
他方、制御部１２０は、小束吟味台５から全検知信号を受信しなければ、シャッタ１０１を開くことはない。言い換えれば、制御部１２０は、小束吟味台５の１０カ所すべての小束セット凹部１６に小束紙幣Ｋが載置された状態にあることを、すべてのセット検知センサ３５によって検知していなければ、シャッタ１０１を開くことはない。
【００５３】
シャッタ１０１が開かれると、使用者は、小束吟味台５において１０カ所すべての小束セット凹部１６に一束ずつ載置された状態にある合計１０束の小束紙幣Ｋを、一束あるいは数束ずつ、小束セット凹部１６から引き抜き、姿勢を変更せずに左側に移動させて大束結束機本体２の結束セット部１０４に挿入するということを繰り返して、図１３に示すように結束セット部１０４にセットする。あるいは、合計１０束の小束紙幣Ｋを、小束セット凹部１６からすべて同時に引き抜き、姿勢を変更せずに左側に移動させて、結束セット部１０４に挿入する。つまり、結束セット部１０４には、１０束の小束紙幣Ｋが纏めてセットされる。
【００５４】
これにより、結束セット部１０４には、開口部６から一つの大束を構成する所定の単位束数である１０束の小束紙幣Ｋが挿入されて、上端位置にあるエレベータ１０３上に載置されることになる。その際に、１０束の小束紙幣Ｋは、短手方向を上下方向にし、長手方向を前後にし、積み重ね方向を左右にしてセットされる。このとき、上端位置にあるエレベータ１０３上に載置された１０束の小束紙幣Ｋは、開口部６から一部突出している。
【００５５】
１０束すべての小束紙幣Ｋが小束吟味台５から取り出されると、いずれのセット検知センサ３５も小束紙幣Ｋを検知しない状態となった旨の検知無信号を小束吟味台５が送信することになり、この検知無信号を受信し、かつ、有無検知センサ１０５が小束紙幣Ｋが結束セット部１０４にあることを検知した状態になると、制御部１２０は、結束セット部１０４に１０束の小束紙幣Ｋがセットされたと判断し、操作部８へのスタート操作を許可する。この状態で、使用者により操作部８にスタート操作が入力されると、制御部１２０は、所定の中間位置までエレベータ１０３を下降させることになり、これと並行して、シャッタ１０１を閉じ、可動壁部１１２を下端位置まで下降させる。可動壁部１１２が下端位置まで下降した状態で、図１４に示すように、固定壁部１１１と可動壁部１１２との間に、結束部１１５と高さが合う隙間が生じる。
【００５６】
次に、制御部１２０は、束押え部１１４を作動させて１０束の小束紙幣Ｋを押え、この状態で、結束部１１５を作動させる。すると、結束部１１５は、エレベータ１０３上の１０束の小束紙幣Ｋに、固定壁部１１１と可動壁部１１２との隙間を介して、小束紙幣Ｋの長手方向および積み重ね方向に沿うように結束テープを巻き回した後、結束テープを切断しつつ接着して図１７に示す大帯Ｔ１とする。これにより、単位束数である１０束の小束紙幣Ｋを一纏めに一体化する。次に、制御部１２０は、可動壁部１１２を上端位置まで上昇させると共に、エレベータ１０３を所定の下端位置まで下降させ、その後、姿勢変更機構１１６を作動させる。すると、図１５に示すように、姿勢変更機構１１６が姿勢変更部材１１７をエレベータ１０３よりも上方に突出させ、大帯Ｔ１で一纏めにされた１０束の小束紙幣Ｋを、小束紙幣Ｋの長手方向が上下となるように立てる。
【００５７】
その後、図１６に示すように、可動壁部１１２を下端位置まで下降させてから、束押え部１１４を作動させて１０束の小束紙幣Ｋを押え、この状態で、結束部１１５を作動させる。すると、結束部１１５は、エレベータ１０３上の、大帯Ｔ１で一纏めに一体化された１０束の小束紙幣Ｋに、固定壁部１１１と可動壁部１１２との隙間を介して、小束紙幣Ｋの短手方向および積み重ね方向に沿うように結束テープを巻き回した後、結束テープを切断しつつ接着して図１７に示す大帯Ｔ２とする。このようにして、大束結束機本体２は、単位束数である１０束の小束紙幣Ｋを、直交する二本の大帯Ｔ１，Ｔ２で一纏めに一体化して大束Ｏとする。
【００５８】
その後、制御部１２０は、可動壁部１１２を上端位置まで上昇させると共に、シャッタ１０１を開き、エレベータ１０３を上端位置まで移動させる。これにより、大束Ｏが開口部６から上方に突出することになり、これを使用者が結束セット部１０４から取り出す。結束セット部１０４から大束Ｏが取り出されたことを有無検知センサ１０５が検知すると、制御部１２０は、小束吟味台５から次の全検知信号を受信してれば、シャッタ１０１を開いた状態のままとして、次の１０束の小束紙幣Ｋの小束吟味台５から結束セット部１０４へのセットを待つことになる。他方、小束吟味台５から全検知信号を受信していなければ、シャッタ１０１を閉じて待機状態に戻ることになる。
【００５９】
エレベータ１０３、可動壁部１１２、束押え部１１４および結束部１１５が、結束セット部１０４にセットされた単位束数である１０束の小束紙幣Ｋを結束テープで結束して大束とする大束結束機構１１８を構成している。上記したように、制御部１２０は、小束吟味台５から、全検知信号を受信しなければ、シャッタ１０１を開くことはなく、大束結束機構１１８による結束動作の実行を規制する。言い換えれば、制御部１２０は、小束吟味台５の１０カ所すべての小束セット凹部１６に小束紙幣Ｋが載置された状態にあることを、すべてのセット検知センサ３５の検知結果に基づき検知していなければ、シャッタ１０１を開くことはなく、大束結束機構１１８による結束動作の実行を規制する。
【００６０】
以上の大束結束機１によれば、小束吟味台５の１０カ所すべての小束セット凹部１６に小束紙幣Ｋを一束ずつ載置させて、１０カ所すべての小束セット凹部１６を小束紙幣Ｋで適正に埋めれば、１０束の小束紙幣Ｋを数えなくても準備できる。そして、このように準備された１０束の小束紙幣Ｋが結束セット部１０４に纏めてセットされると、これらの小束紙幣Ｋを大束結束機構１１８が結束テープで結束して大束Ｏとする。よって、１０束の小束紙幣Ｋを容易に準備して、結束することができる。
【００６１】
また、小束吟味台本体１５の１０カ所すべての小束セット凹部１６に小束紙幣Ｋが載置されると、これを、すべてのセット検知センサ３５が小束紙幣Ｋを検知することで検知することになるが、このように１０カ所すべての小束セット凹部１６に小束紙幣Ｋが載置された状態にあることを検知しない場合、言い換えれば、いずれかの小束セット凹部１６で小束紙幣Ｋが載置された状態にあることを検知しない場合、制御部１２０が、大束結束機構１１８による結束動作の実行を規制する。よって、誤った束数の小束紙幣Ｋが結束されて大束Ｏとなることを抑制できる。
【００６２】
なお、小束吟味台５は、大束結束機本体２に対して取り外し不可に一体化しても良いし、大束結束機本体２に対して着脱可能に取り付けてもよい。あるいは、大束結束機本体２の上面３の空きスペースに単に載せて使用するようにしても良い。いずれの場合も、小束吟味台５を大束結束機本体２に対して通信しない構成としても良い。
【００６３】
また、大束結束機本体２の上面３上に、小束吟味台５とは別に、小束吟味台５にセットされる前の小束紙幣Ｋや結束後の大束Ｏを載置可能な載置台を設けても良い。
【００６４】
また、大束結束機本体２がシャッタ１０１を備えていない場合、制御部１２０は、１０カ所すべての小束セット凹部１６に小束紙幣Ｋが載置された状態にあることを、すべてのセット検知センサ３５の検知結果から検知していない場合、言い換えれば、いずれかのセット検知センサ３５がいずれかの小束セット凹部１６で小束紙幣Ｋが載置された状態にあることを検知していない場合、例え、結束セット部１０４への小束紙幣Ｋがセットされたとしても、エレベータ１０３の下降から始まる大束結束機構１１８による結束動作の実行を規制する。
【００６５】
「第２実施形態」
本発明に係る第２実施形態を図１８〜図２１を参照して第１実施形態との相違部分を中心に説明する。
【００６６】
第２実施形態では、小束吟味台５が第１実施形態と一部相違している。
【００６７】
第２実施形態の小束吟味台５は、すべての小束セット凹部１６の長手方向長さが、最も短い小束紙幣Ｋの長手方向長さよりも短く、長手方向一端側が長手方向に沿って開口している。そして、小束セット凹部１６よりも後側が小束セット凹部１６の底面１９と連続し底面１９と同一平面となる上面６１を有する載置台部６２となっている。底面１９と上面６１とを合せた長さは、長手方向長さが最も長い小束紙幣Ｋの長手方向長さよりも長くなっている。具体的に、小束セット凹部１６の長手方向長さは、最も長手方向長さが長い一万円券の長手方向長さの１６０ｍｍの半分の８０ｍｍに設定されており、底面１９と上面６１とを合せた長さは、最も長手方向長さが長い一万円券の長手方向長さの１６０ｍｍよりも長く、例えば１７０ｍｍに設定されている。
【００６８】
第２実施形態によれば、長手方向長さが小束紙幣Ｋの長手方向長さよりも短い小束セット凹部１６に小束紙幣Ｋが載置されると、小束紙幣Ｋは、小束セット凹部１６の長手方向一端側の開口から外に一部が出ることになる。よって、例えば、図２０に示すように、流通券の小束紙幣Ｋであって結束テープの小帯ｔで結束された側とは反対側が集積方向に広がっているものであっても、結束されて集積方向の広がりが抑制されている小帯ｔ側を小束セット凹部１６に載置させ、集積方向に広がっている側を小束セット凹部１６の外側の載置台部６２に配置することで小束セット凹部１６への載置が容易となる。
【００６９】
なお、第２実施形態の小束吟味台５において、図２１に示すように、載置台部６２をなくすことも可能である。
【符号の説明】
【００７０】
１  大束結束機
５  小束吟味台
１５  小束吟味台本体
１６  小束セット凹部
３１  ＬＥＤランプ（個別セット報知手段，全数セット報知手段）
３５  セット検知センサ（個別セット検知手段，全数セット検知手段）
３８  音声発生部（全数セット報知手段）
１０４  結束セット部
１１８  大束結束機構
１２０  制御部（制御手段）
Ｋ  小束紙幣
Ｏ  大束
Ｓ  バラ紙幣
Ｔ１，Ｔ２  大帯（結束テープ）
【図１】
2018002296.tif 000003
【図２】
2018002296.tif 000004
【図３】
2018002296.tif 000005
【図４】
2018002296.tif 000006
【図５】
2018002296.tif 000007
【図６】
2018002296.tif 000008
【図７】
2018002296.tif 000009
【図８】
2018002296.tif 000010
【図９】
2018002296.tif 000011
【図１０】
2018002296.tif 000012
【図１１】
2018002296.tif 000013
【図１２】
2018002296.tif 000014
【図１３】
2018002296.tif 000015
【図１４】
2018002296.tif 000016
【図１５】
2018002296.tif 000017
【図１６】
2018002296.tif 000018
【図１７】
2018002296.tif 000019
【図１８】
2018002296.tif 000020
【図１９】
2018002296.tif 000021
【図２０】
2018002296.tif 000022
【図２１】
2018002296.tif 000023